(57)【要約】【課題】本発明は、施工性を向上させた照明器具を提供することを目的とする。【解決手段】照明器具１は、凹部及びその開口端を備える器具本体３と、凹部内に少なくとも一部が収容された状態で装着される光源部５とを備え、凹部及び光源部５の一方にバネ受け３３が配され、他方にバネ受け３３に係合する取付バネ５５が備えられ、バネ受け３３は、取付バネ５５が掛止される部分３３１ｆが凹部の開口端に近づくよう変形可能である。【選択図】図７
2019114448.tif 000002
【特許請求の範囲】
【請求項１】
凹部及びその開口端を備える器具本体と、
前記凹部内に少なくとも一部が収容された状態で装着される光源部とを備える照明器具であって、
前記凹部及び光源部の一方にバネ受けが配され、他方に前記バネ受けに係合する取付バネが備えられ、
前記バネ受けは、前記取付バネが掛止される部分が前記凹部の開口端に近づくよう変形可能である
ことを特徴とする照明器具。
【請求項２】
前記バネ受けは、伸縮することにより変形可能である
ことを特徴とする請求項１記載の照明器具。
【請求項３】
前記バネ受けは、スライド部と、固定部とを備え、
前記スライド部は、前記取付バネが掛止される部分を備え、前記固定部に対し相対的にスライドすることにより伸縮する
ことを特徴とする請求項２記載の照明器具。
【発明の詳細な説明】
【技術分野】
【０００１】
本発明は、照明器具に関し、特に、器具本体と光源ユニットとが分離する照明器具に関する。
【背景技術】
【０００２】
天井に配される照明器具の１つに、光源ユニットと、光源ユニットを収容する器具本体とを備えるものがある（特許文献１参照）。この照明器具では、器具本体が備えるバネ受けに、光源ユニットが備える取付バネが引っかけられると、取付バネの弾性力により光源ユニットが照明器具側に引き寄せられて、器具本体と光源ユニットとが係合する。
【先行技術文献】
【特許文献】
【０００３】
【特許文献１】特開２０１６−４６１６８号公報
【発明の概要】
【発明が解決しようとする課題】
【０００４】
上述の照明器具においては、光源ユニットは、器具本体が備える凹部内に収容されるが、凹部の深さが深くなるほど、取付バネをバネ受けに引っかけにくくなり、施工性が悪いという問題がある。
【０００５】
本発明は、係る問題に鑑みてなされたものであり、施工性を向上させた照明器具を提供することを目的とする。
【課題を解決するための手段】
【０００６】
上記課題を解決するために本発明に係る照明器具は、凹部及びその開口端を備える器具本体と、前記凹部内に少なくとも一部が収容された状態で装着される光源部とを備える照明器具であって、前記凹部及び光源部の一方にバネ受けが配され、他方に前記バネ受けに係合する取付バネが備えられ、前記バネ受けは、前記取付バネが掛止される部分が前記凹部の開口端に近づくよう変形可能である。
【発明の効果】
【０００７】
上述の構成により、本発明に係る照明器具は、取付バネをバネ受けに引っ掛けやすくなり、照明器具の施工性を向上させることができる。
【図面の簡単な説明】
【０００８】
【図１】本発明の一実施形態に係る照明器具の外観を示す斜視図
【図２】図１の照明器具における、器具本体と光源ユニットとを分離した図
【図３】光源ユニットが備える取付バネの外観を示す図
【図４】取付バネを構成する（ａ）バネ部を示す上面図、（ｂ）バネ保持部を示す上面図
【図５】バネ受けの構成を示す図
【図６】バネ受けの変形を説明する図、（ａ）全伸状態・正面図、（ｂ）全伸状態・斜視図、（ｃ）全縮状態・正面図、（ｄ）全縮状態・斜視図
【図７】光源ユニットを器具本体に取り付ける際の、バネ受けと取付バネの係合について説明するための断面模式図、（ａ）光源ユニットが器具本体に収容される前の状態を示す図、（ｂ）光源ユニットが器具本体に収容された状態を示す図
【図８】バネ受けと取付バネの係合について説明するための図、（ａ）取付バネがバネ受けに引っかけられた状態を示す図、（ｂ）取付バネがバネ受けの挿通孔に近づいた状態、（ｃ）取付バネが挿通孔に挿通した状態を示す図
【図９】光源ユニットと器具本体との間の隙間について説明する断面模式図、（ａ）照明器具１において、光源ユニットの取付バネが器具本体のバネ受けに引っ掛けられ真っすぐ引っ張られた状態を示す図、（ｂ）照明器具１において、光源ユニットの取付バネが器具本体のバネ受けに引っ掛けられ斜めに引っ張られた状態を示す図、（ｃ）従来の照明器具において、光源ユニットの取付バネが器具本体のバネ受けに引っ掛けられ真っすぐ引っ張られた状態を示す図、（ｄ）従来の照明器具において、光源ユニットの取付バネが器具本体のバネ受けに引っ掛けられ斜めに引っ張られた状態を示す図
【図１０】本発明の一変形例に係るバネ受けを示す図、（ａ）バネが引っ張られ伸ばされた状態を示す、（ｂ）バネが引っ張られていない状態を示す、（ｃ）バネ受けを下からみた図
【図１１】本発明の一変形例に係る板バネについて説明するための図、（ａ）板バネがバネ受けに引っかけられた状態を示す図、（ｂ）板バネがバネ受けの挿通孔に近づいた状態、（ｃ）板バネが挿通孔に挿通した状態を示す図
【発明を実施するための形態】
【０００９】
＜１．第１の実施形態＞
＜１．１．概要＞
以下、本発明の一実施形態に係る照明器具１について図面を参照しながら説明する。図１に示すように、照明器具１は、一例として略直方体形状の照明器具であり、器具本体３及び光源ユニット５を備える。照明器具１は、図２に示すように、取付場所の一例としての天井８に取り付けられ、室内側に光を照射する。
【００１０】
器具本体３は、一面が開口して凹部Ｃが形成された箱状（以下、開口した面を「開口面」という）の外観を有する。光源ユニット５は、光源の一例としてＬＥＤ（Ｌｉｇｈｔ  Ｅｍｉｔｔｉｎｇ  Ｄｉｏｄｅ）を備えた長尺状の部材である。光源ユニット５は、照明器具１の外部方向へ光を照射する向きで凹部Ｃに少なくとも一部が収容された状態で装着される。収容に関し、光源ユニット５は、取付バネ５５を備える。また、器具本体３の凹部Ｃにおける開口面と対向する面（底面３１ａ）には、バネ受け３３が配されている。光源ユニット５を器具本体３に装着する場合、ユーザは、取付バネ５５をバネ受け３３に引っ掛ける。すると取付バネ５５の弾性力により光源ユニット５が器具本体３に引き寄せられて凹部Ｃ内に光源ユニット５が収容される。
【００１１】
ここで、照明器具１においては、バネ受け３３は伸縮可能に構成している。このため、照明器具１は、例え凹部Ｃの幅が狭い場合や、凹部Ｃの深さが深い場合であっても、従来に比べ、取付バネ５５がバネ受け３３に引っ掛けやすく、施工性がよくなっている。
＜１．２．光源ユニット５＞
光源ユニット５は、図２に示すように、カバー５１、支持体５３、取付バネ５５、取付バネ５７、及び電源部５９を有する。
＜支持体５３＞
支持体５３は、長尺板状の部材であり、一の面に、１以上の光源が配された基板（図示せず）が配され、前記一の面に対向する裏面には、取付バネ５５、取付バネ５７、及び電源部５９が配される。
＜カバー５１＞
カバー５１は、前記光源を覆うよう支持体５３の前記一の面側に配される。カバー５１は、前記光源が射出する光を拡散する機能を有する。カバー５１には、光拡散材を加えた光透過性の樹脂材料などが用いられる。
＜取付バネ５５＞
取付バネ５５は、器具本体３が有するバネ受け３３に係合する部材である。取付バネ５５がバネ受け３３に係合することにより、光源ユニット５が器具本体３に装着される。
【００１２】
取付バネ５５は、図３に示すように、バネ部５５ａ、バネ保持部５５ｂ及び補助ブラケット５５ｃを備える。バネ部５５ａは、一例として、ダブルトーションバネであり、バネ線材を曲げ加工等して形成される。バネ保持部５５ｂは、バネ部５５ａを保持する部材であり、支持体５３の裏面に固定される。バネ保持部５５ｂは、金属板を折り曲げ加工等して形成される。補助ブラケット５５ｃは、矩形アーチ状の部材であり、器具本体３の底面３１ａに接触する。補助ブラケット５５ｃは、支持体５３と底面３１ａとの間の距離を調整する機能を有する。
＜バネ部５５ａ及びバネ保持部５５ｂ＞
バネ部５５ａは、図３及び図４（ａ）に示すように、フレーム部５５ａ１、コイルバネ部５５ａ２、腕部５５ａ３、及び端部５５ａ４を備える。また、バネ保持部５５ｂは、図３及び図４（ｂ）に示すように、板部５５ｂ１、固定部５５ｂ２、穴部５５ｂ３、及びアーチ部５５ｂ４を備える。
【００１３】
バネ部５５ａのフレーム部５５ａ１は、略コの字形状をした部分であり、図４（ａ）に示すように、部分５５ａ１ａが直線状であり、直線部分から略直角に曲がって連続する部分５５ａ１ｂ及び５５ａ１ｃは支持体５３の裏面から離れる方向へアーチ状に湾曲している。
【００１４】
コイルバネ部５５ａ２は、フレーム部５５ａ１に連続し、コイル状に曲げられた部分であり、コイル中心に固定部５５ｂ２が挿通されて固定部５５ｂ２に掛止される。
【００１５】
腕部５５ａ３は、コイルバネ部５５ａ２に連続する略直線状の部分である。
【００１６】
端部５５ａ４は、腕部５５ａ３に連続し、腕部５５ａ３に対し略直角に曲げられて取付バネ５５の端部を構成している。端部５５ａ４は、バネ保持部５５ｂのアーチ部５５ｂ４に挿通され掛止される。
【００１７】
バネ保持部５５ｂの板部５５ｂ１は、板状部分であり、支持体５３の裏面に固定される。
【００１８】
固定部５５ｂ２は、バネ部５５ａのコイルバネ部５５ａ２が掛止される、棒状の部分である。
【００１９】
穴部５５ｂ３は、板部５５ｂ１に設けられた孔であり、板部５５ｂ１と支持体５３とを固定するためのネジ等が挿通される。
【００２０】
アーチ部５５ｂ４は、アーチ状に加工された部分であり、アーチ内に端部５５ａ４が挿通され掛止される。
＜取付バネ５７及び電源部５９＞
取付バネ５７は、バネ受け３５に係合する部材であり、取付バネ５５と同様の構成を有する。
【００２１】
電源部５９は、外部から供給される電力を、光源に適した電圧又は電流に変換し、光源に供給する機能を有する。
＜１．３．器具本体３＞
器具本体３は、図２に示すように、筐体３１、バネ受け３３、バネ受け３５、及び電源端子台３７を備える。
＜筐体３１＞
筐体３１は、一面が開口した箱状の部材であり、凹部Ｃを有し、器具本体３の外観を構成する。筐体３１における底面３１ａには、照明器具１は、照明器具１を天井８に取り付けるための吊ボルト８ａ及び吊ボルト８ｃ、照明器具１に電力を供給するための電源ケーブル８ｅなどを通すための複数の孔が設けられている。吊ボルト８ａ及び８ｃが底面３１ａの吊ボルト用の穴に挿通された後、吊ボルト８ａ及び８ｂにナット８ｂ及び８ｄが嵌合されることで、照明器具１が天井８に取付られる。底面３１ａには、またバネ受け３３、バネ受け３５、及び電源端子台３７が配される。
＜バネ受け３３＞
バネ受け３３は、取付バネ５５に係合されるバネブラケットである。
【００２２】
バネ受け３３は、図５に示すように、スライド部３３１、固定部３３２、ネジ３３３及びネジ３３４を備える。
＜スライド部３３１＞
スライド部３３１は、金属板を穴あけ加工、折り曲げ加工等して形成される部材であり、ボディ部３３１ａ、スライドガイド長穴３３１ｃ、スライドガイド長穴３３１ｄ及び平型フック部３３１ｆを備える。
【００２３】
ボディ部３３１ａは、平板状の部分であり、上辺が切り取られている。この切り取られている部分は、後述する全縮状態で挿通孔３３２ｄを塞がないように設けられている。
【００２４】
スライドガイド長穴３３１ｃは、ボディ部３３１ａに空けられた角丸長方形状の穴であり、ネジ３３３が挿通される。ネジ３３３の軸部分は、スライドガイド長穴３３１ｃの内周で規制された範囲を直線運動可能である。
【００２５】
スライドガイド長穴３３１ｄは、ボディ部３３１ａに空けられた角丸長方形状の穴であり、ネジ３３４が挿通される。ネジ３３４の軸部分は、スライドガイド長穴３３１ｄの内周で規制された範囲を直線運動可能である。
【００２６】
平型フック部３３１ｆは、ボディ部３３１ａの下端においてボディ部３３１ａと連続する、幅広で扁平なフック形状を有する。平型フック部３３１ｆの横幅は、フレーム部５５ａ１の部分５５ａ１ｂと部分５５ａ１ｃの間隔より狭く形成されている。平型フック部３３１ｆには、フレーム部５５ａ１が掛止可能である。
＜固定部３３２＞
固定部３３２は、金属板を切断、穴あけ、折り曲げ加工等して形成される部材であり、台板部３３２ａ、取付板部３３２ｂ、挿通孔３３２ｄ、ネジ穴３３２ｆ、及びネジ穴３３２ｇを備える。
【００２７】
台板部３３２ａは、平板状の部分であり、器具本体３の底面３１ａに固定される。
【００２８】
取付板部３３２ｂは、台板部３３２ａと略直角の角度を成して連続する、平板状の部分であり、ネジ３３３及びネジ３３４によりスライド部３３１が取り付けられる。
【００２９】
挿通孔３３２ｄは、略矩形状の孔であり、フレーム部５５ａ１が挿通される。
【００３０】
ネジ穴３３２ｆは、取付板部３３２ｂに形成された、ネジ３３３が螺合するネジ穴である。
【００３１】
ネジ穴３３２ｇは、取付板部３３２ｂに形成された、ネジ３３４が螺合するネジ穴である。
＜ネジ３３３及びネジ３３４＞
ネジ３３３は、雄ネジが切られた軸部が、スライドガイド長穴３３１ｃに挿通されてネジ穴３３２ｆに螺合される。ネジ穴３３２ｆの深さは、ネジ３３３のネジ頭がスライド部３３１を押さえつけない程度に調整されており、スライド部３３１が取付板部３３２ｂに対しスライド可能となっている。ネジ３３３の軸部は、直径が、スライドガイド長穴３３１ｃの短手方向の幅とほぼ同等であり、スライドガイド長穴３３１ｃの内周で規制された範囲を直線運動可能である。
【００３２】
ネジ３３４は、雄ネジが切られた軸部が、スライドガイド長穴３３１ｄに挿通されて、ネジ穴３３２ｇに螺合される。ネジ穴３３２ｇの深さは、ネジ３３４のネジ頭がスライド部３３１を押さえつけない程度に調整されており、スライド部３３１が取付板部３３２ｂに対しスライド可能となっている。ネジ３３４の軸部は、直径が、スライドガイド長穴３３１ｄの短手方向の幅とほぼ同等であり、スライドガイド長穴３３１ｄの内周で規制された範囲を直線運動可能である。
【００３３】
バネ受け３３は、スライド部３３１が、固定部３３２に対し、より詳細には取付板部３３２ｂに対し平行にスライドすることにより変形可能である。図６（ａ）及び図６（ｂ）に示すように、バネ受け３３について、スライド部３３１と取付板部３３２ｂとの重なり部分が最小になる第１の状態を以下「全伸状態」という。
図６（ｃ）及び図６（ｄ）に示すように、バネ受け３３について、スライド部３３１と取付板部３３２ｂとの重なり部分が最大になる第２の状態を以下「全縮状態」という。バネ受け３５についても同様である。
＜バネ受け３５及び電源端子台３７＞
バネ受け３５は、取付バネ５７に係合されるバネブラケットであり、バネ受け３３と同様の構成を有する。
【００３４】
電源端子台３７は、外部の電源と電源部５９とを接続するための電線を相互に接続する機能を有する。
＜１．４．光源ユニット５の器具本体３への装着＞
まず、ユーザは、バネ受け３３が全伸状態になっていない場合、バネ受け３３を全伸状態にする。そして、ユーザは、図７（ａ）及びバネ受けと取付バネからなる係合部の拡大図である図８（ａ）に示すように、バネ受け３３の平型フック部３３１ｆに、取付バネ５５のフレーム部５５ａ１の部分５５ａ１ａを引っ掛ける。
【００３５】
ここで、バネ受け３３（より具体的には平型フック部３３１）が凹部Ｃの開口端に近づくよう変形し全伸状態になっているので、図９（ａ）及び指を入れるため斜めにした場合を示す図９（ｂ）に模式的に示すように、器具本体３の凹部Ｃの開口端と光源ユニット５との間隔Ｓ１、Ｓ２が、従来（図９（ｃ）の間隔Ｓ３、図９（ｄ）の間隔Ｓ４参照）より広くなっている。このため、ユーザは、従来よりも指を凹部Ｃ内に入れやすくなる。また、指を凹部Ｃの奥深くまで突っ込むことなく、取付バネ５５をバネ受け３３に引っ掛けることができる。よって、ユーザは、光源ユニット５を器具本体３に容易に装着できるので、照明器具１は、ユーザにとって施工性が高いといえる。
【００３６】
一方、取付バネ５７についても同様にして、ユーザは、バネ受け３５が全伸状態になっていることを確認し、バネ受け部３５のフック部に、取付バネ５５のフレーム部を引っ掛ける。
【００３７】
この状態で、ユーザは、光源ユニット５を、器具本体３の凹部Ｃ内に押し込んでいく。光源ユニット５が押し込まれるにつれて、取付バネ５５のフレーム部５５ａ１は、図８（ｂ）に示すように、スライド部３３１の表面に沿って凹部Ｃの底面３１ａ方向へと動いていく。そして、図７（ｂ）及びその係合部の拡大図である図８（ｃ）に示すように挿通孔３３２ｄに挿通する。また、バネ受け３３は、固定部３３２の下端が、光源ユニット５における支持体５３の裏面に押されて凹部Ｃの底面３１ａ方向へ動いていき全縮状態になる。このとき、バネ部５５ａの復元力が、光源ユニット５を凹部Ｃのより奥部に引き込む方向へ働く。光源ユニット５は、補助ブラケット５５ｃが凹部Ｃの底面３１ａと接触する位置で器具本体３内に固定される。
＜２．変形例＞
以上、本発明に係る照明器具の実施形態を説明したが、上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。例示した照明器具を以下のように変形することも可能であり、本発明が上述の実施形態で示した通りの照明器具に限られないことは勿論である。
【００３８】
（１）上述の実施形態では、取付バネ（５５、５７）を光源ユニット（５）に配し、バネ受け部（３３、３５）を器具本体（３）に配することとしたが、これに限らない。例えば、取付バネ（５５、５７）を器具本体（３）に配し、バネ受け部（３３、３５）を光源ユニット（５）に配することとしてもよい。
【００３９】
（２）上述の実施形態では、バネ受け３３は、スライド部３３１が固定部３３２に対しスライドすることにより伸縮することとしたが、これに限らず、平型フック部３３１ｆが凹部Ｃの開口方向へ移動することで平型フック部３３１ｆに取付バネ５５を係合しやすくできれば足りる。
【００４０】
例えば、バネ受け３３は、図１０（ａ）〜（ｃ）にバネ受け７１として示すように、移動部７１１、固定部７１２、バネ７１３及び７１４で構成してもよい。固定部７１２は、器具本体３の底面３１ａに固定される台板部７１２ａと取付板部７１２ｂとを備える。取付板部７１２ｂは、上部の幅広部と下部の幅狭部（７１２ｃ）を備え、幅広部にフレーム部５５ａ１が挿通される挿通孔７１２ｄを備える。移動部７１１は、ボディ部７１１ａ、平型フック部７１１ｂ及び掛止部７１１ｃを備える。平型フック部７１１ｂには、フレーム部５５ａ１が掛止可能である。移動部７１１と固定部７１２とは、バネ７１３及びバネ７１４により連結されている。また、図１０（ｃ）に示すように、掛止部７１１ｃは鉤状の形状を有し、掛止部７１１ｃとボディ部７１１ａとが形成する空間に固定部７１２が入り込んでいる。これにより、移動部７１１は、固定部７１２（特に幅狭部７１２ｃ）に対してスライド可能となっている。
【００４１】
バネ受け７１は、通常は、バネ７１３及びバネ７１４が移動部７１１の重さでのみ引っ張られた状態（全縮状態に対応する状態）である（図１０（ｂ）参照）。ユーザが移動部７１１を引っ張ることで、バネ７１３及びバネ７１４が伸びた状態（全伸状態に対応する状態）となり（図１０（ａ）参照）、平型フック部７１１ｂが凹部Ｃの開口方向へ移動する。
【００４２】
なお、幅狭部７１２ｃは、光源ユニット５が器具本体３に装着される際に、フレーム部５５ａ１（特に部分５５ａ１）が当接される部分である。すなわち、光源ユニット５が、器具本体３に装着される際、取付バネ５５のフレーム部５５ａ１が、平型フック部７１１ｂに引っ掛けられる。そして、光源ユニット５が器具本体３の凹部Ｃ内へ押し込まれていく。そして、フレーム部５５ａ１は、部分５５ａ１が幅狭部７１２ｃに当接しながら挿通孔７１２ｄに向かって移動し、挿通孔７１２ｄに挿通される。
【００４３】
また、上述の実施形態では、平型フック部３３１ｆは、取付バネ５５のフレーム部５５ａ１を引っ掛けて一時的に保持していたが、これに限らず、取付バネ５５を一時的に固定できれば足りる。
【００４４】
例えば、平型フック部３３１ｆは、取付バネ５５を掴み上げる機構で実現してもよいし、強力な磁石等で引き付ける機構などで実現してもよい。
【００４５】
（３）上述の実施形態では、電源部５９は光源ユニット５に備えているが、これに限らない。例えば、器具本体３の底面３１ａに備えることとしてもよい。
【００４６】
（４）上述の実施形態では、照明器具１は、天井に取り付けることとしていたが、これに限らない。例えば、照明器具１は、壁面などにつけてもよい。また、複数の照明器具１を連結させてもよい。
【００４７】
（５）上述の実施形態では、光源にＬＥＤを用いていたが、これに限らず、他の光源であってもよい。例えば、有機ＥＬ又は有機ＬＥＤ（Ｏｒｇａｎｉｃ  Ｅｌｅｃｔｒｏｌｕｍｉｎｅｓｃｅｎｃｅ又はＯｒｇａｎｉｃ  Ｌｉｇｈｔ  Ｅｍｉｔｔｉｎｇ  Ｄｉｏｄｅ）、電界放出ディスプレイ（Ｆｉｅｌｄ  Ｅｍｉｓｓｉｏｎ  Ｄｉｓｐｌａｙ）などであってもよい。
【００４８】
（６）上述の実施形態では、取付バネ５５は、線材を略コの字状に曲げ加工したダブルトーションバネとしたが、これに限らず、例えば図１１に示すような板バネ８１で構成することとしてもよい。
【００４９】
板バネ８１は、取付バネ５５と同様に、支持体５３の裏面に配される。板バネ８１は、
具体的には、ネジ８２により、支持体５３の裏面に固定される。光源ユニット５における取付バネ５５の代わりに板バネ８１を取り付けたものを、以下「光源ユニットＵ」（図示はせず）という。
【００５０】
板バネ８１は、ネジ８２により支持体５３に固定される基端部８１ａ、基端部８１ａに連続し緩やかに湾曲する長尺状のバネ部８１ｂ、及び、バネ部８１ｂに連続するかぎ状の先端部８１ｃを備える。ここで、光源ユニットＵを器具本体３に装着する場合、ユーザは、バネ受け３３が全伸状態になっていない場合、バネ受け３３を全伸状態にする。そして、ユーザは、バネ受け３３と板バネ８１からなる係合部の拡大図である図１１（ａ）に示すように、バネ受け３３の平型フック部３３１ｆに、板バネ５５の先端部８１ｃを引っ掛ける。
【００５１】
ここで、バネ受け３３が凹部Ｃの開口端に近づくよう変形し全伸状態になっているので、器具本体３の凹部Ｃの開口端と光源ユニットＵとの間隔が、従来より広くなっている。このため、ユーザは、従来よりも指を凹部Ｃ内に入れやすくなる。また、指を凹部Ｃの奥深くまで突っ込むことなく、板バネ８１をバネ受け３３に引っ掛けることができる。
【００５２】
この状態で、ユーザは、光源ユニットＵを、器具本体３の凹部Ｃ内に押し込んでいく。光源ユニットＵが押し込まれるにつれて、板バネ８１の先端部８１ｃ、及びバネ部８１ｂは、図１１（ｂ）に示すように、スライド部３３１の表面に沿って凹部Ｃの底面３１ａ方向へと動いていく。そして、図１１（ｃ）に示すように挿通孔３３２ｄに挿通する。また、バネ受け３３は、固定部３３２の下端が、光源ユニットＵにおける支持体５３の裏面に押されて凹部Ｃの底面３１ａ方向へ動いていき全縮状態になる。このとき、板バネ８１の復元力が、光源ユニットＵを凹部Ｃのより奥部に引き込む方向へ働く。光源ユニットＵは、補助ブラケット５５ｃが凹部Ｃの底面３１ａと接触する位置で器具本体３内に固定される。
【００５３】
（７）上述の実施形態においてバネ受けと取付バネからなる係合部は２カ所としたが、これに限られない。例えば長い器具においては、多数の係合部を設けてもよく、小型の器具では１カ所でもよい。
【００５４】
（８）上述の実施形態及び各変形例を、部分的に組み合せてもよい。
＜３．補足＞
以下、更に本発明の一実施形態としての照明器具の構成及びその変形例と効果について説明する。
（１）本発明の一実施形態に係る照明器具は、凹部及びその開口端を備える器具本体と、前記凹部内に少なくとも一部が収容された状態で装着される光源部とを備える照明器具であって、前記凹部及び光源部の一方にバネ受けが配され、他方に前記バネ受けに係合する取付バネが備えられ、前記バネ受けは、前記取付バネが掛止される部分が前記凹部の開口端に近づくよう変形可能である。
【００５５】
この構成によれば、取付バネをバネ受けに引っ掛けやすくなり、照明器具の施工性を向上させることができる。
（２）また、前記バネ受けは、伸縮することにより変形可能であるとしてもよい。
【００５６】
この構成によれば、バネ受けが伸びることにより、前記取付バネが掛止される部分が前記凹部の開口端に近づく。よって、取付バネをバネ受けに引っ掛けやすくなり、照明器具の施工性を向上させることができる
（３）また、前記バネ受けは、スライド部と、固定部とを備え、前記スライド部は、前記取付バネが掛止される部分を備え、前記固定部に対し相対的にスライドすることにより伸縮することしてもよい。
【００５７】
この構成によれば、スライド部が固定部に対し相対的にスライドし、前記取付バネが掛止される部分が前記凹部の開口端に近づく。よって、取付バネをバネ受けに引っ掛けやすくなり、照明器具の施工性を向上させることができる
【符号の説明】
【００５８】
１        照明器具
３        器具本体
５        光源ユニット
８        天井
３１        筐体
３１ａ      底面
３７        電源端子台
５１        カバー
５３        支持体
５５        取付バネ
５５ａ      バネ部
５５ａ１    フレーム部
５５ｂ      バネ保持部
５５ｃ      補助ブラケット
５７        取付バネ
５９        電源部
３３１        スライド部
３３１ａ      ボディ部
３３１ｃ      スライドガイド長穴
３３１ｄ      スライドガイド長穴
３３１ｆ      平型フック部
３３２        固定部
３３２ａ      台板部
３３２ｂ      取付板部
３３２ｄ      挿通孔
３３２ｆ      ネジ穴
３３２ｇ      ネジ穴
Ｃ        凹部
【図１】
2019114448.tif 000003
【図２】
2019114448.tif 000004
【図３】
2019114448.tif 000005
【図４】
2019114448.tif 000006
【図５】
2019114448.tif 000007
【図６】
2019114448.tif 000008
【図７】
2019114448.tif 000009
【図８】
2019114448.tif 000010
【図９】
2019114448.tif 000011
【図１０】
2019114448.tif 000012
【図１１】
2019114448.tif 000013